(57)【要約】      （修正有）【課題】キャンパスの展開・収納を容易かつ迅速に行えるオーニング装置の駆動補助具を提供する。【解決手段】オーニング装置の駆動操作軸２の係合受け部３に掛けて回転する駆動補助具２０であって、使用者が手でつかむ筒状の把持部材２１と、把持部材に挿通されて両端部が把持部材の両外側に延設されるとともに、把持部材の軸周りに回転自在で軸方向への移動が制限された棒状回転部材と、棒状回転部材の把持部材より先端側の端部に設けられて、オーニング装置の駆動操作軸の係合受け部に掛脱自在なフック部２３と、棒状回転部材の把持部材より手元側の端部に設けられて、電動式回転工具３０の出力軸に着脱自在に装着可能な装着部２４を備える。【選択図】図３
0003224919.tif 000002
【実用新案登録請求の範囲】
【請求項１】
オーニング装置の駆動操作軸に係脱自在に係合して回転する駆動補助具であって、
駆動補助具は、使用者が手でつかむ筒状の把持部材と、
把持部材に挿通されて両端部が把持部材の軸方向両外側に延設されるとともに、把持部材の軸周りに回転自在で軸方向への移動が制限された棒状回転部材と、
棒状回転部材の内、把持部材より先端側の端部に設けられて、オーニング装置の駆動操作軸に係脱自在に係合し、回転駆動可能な係合部と、
棒状回転部材の内、把持部材より手元側の端部に設けられて、電動式回転工具の出力軸に着脱自在に装着可能な装着部と、
を備えたことを特徴とするオーニング装置の駆動補助具。
【考案の詳細な説明】
【技術分野】
【０００１】
本考案はオーニング装置の駆動補助具に係り、とくに駆動操作軸を電動工具で駆動可能とするためのオーニング装置の駆動補助具に関する。
【背景技術】
【０００２】
従来から、店舗等の建物の出入口の雨除け、日差し除けを行うためのオーニング装置が広く使用されている。
手動式のオーニング装置は、図１に示す如く、出入口の上部に設置したオーニング装置本体１の横方向の端部から下方に突設された駆動操作軸２を備えており、この駆動操作軸２の下端側の目玉状の係合受け部３に、操作ハンドル１０の先端側に形成された係合部としてのフック部１１を掛け入れて係脱自在に係合し、手動で操作ハンドル１０を回転させることで、シート状のキャンパス４を水平方向または斜め方向に展開したり、収納したりすることができるようになっている。
【０００３】
けれども、シート状のキャンパス４を水平方向または斜め方向に展開したり、収納したりするためには、操作ハンドル１０をかなりの回転数だけ回転しなければならず、時間と手間の掛かる作業となっていた。
【考案の概要】
【考案が解決しようとする課題】
【０００４】
本考案は上記した従来技術の問題に鑑みなされたもので、キャンパスの展開・収納を容易かつ迅速に行えるオーニング装置の駆動補助具を提供することを、その目的とする。
【課題を解決するための手段】
【０００５】
請求項１記載の考案では、
オーニング装置の駆動操作軸の係合受け部に係脱自在に係合して回転する駆動補助具であって、
駆動補助具は、使用者が手で掴む筒状の把持部材と、
把持部材に挿通されて両端部が把持部材の軸方向両外側に延設されるとともに、把持部材の軸周りに回転自在で軸方向への移動が制限された棒状回転部材と、
棒状回転部材の内、把持部材より先端側の端部に設けられて、オーニング装置の駆動操作軸の係合受け部に係脱自在に係合し、回転駆動可能な係合部と、
棒状回転部材の内、把持部材より手元側の端部に設けられて、電動式回転工具の出力軸に着脱自在に装着可能な装着部と、
を備えたことを特徴としている。
【考案の効果】
【０００６】
本考案によれば、オーニング装置の駆動操作軸を、電動ドライバ、電動ドリル、電動インパクトドライバ等の電動式回転工具を用いて駆動できるので、キャンパスの展開・収納作業を短時間かつ容易に行うことが可能となる。
また、手で掴む把持部材は回転しないので、安全に作業を進めることができる。
【図面の簡単な説明】
【０００７】
【図１】従来のオーニング装置の問題点の説明図である。
【図２】本考案の一実施例に係るオーニング装置の駆動補助具の外観正面図である。
【図３】図２のオーニング装置の駆動補助具の使用方法の説明図である。
【図４】図２の変形例に係るオーニング装置の駆動補助具の説明図である。
【図５】図２の他の変形例に係るオーニング装置の駆動補助具の説明図である。
【図６】図２の更に他の変形例に係るオーニング装置の駆動補助具の説明図である。
【図７】図２の他の変形例に係るオーニング装置の駆動補助具の説明図である。
【考案を実施するための最良の形態】
【０００８】
以下、本考案の最良の形態を実施例に基づき説明する。
【実施例１】
【０００９】
図２は本考案の一実施例に係るオーニング装置の駆動補助具の外観平面図である。
図２において、２０は手動式タイプのオーニング装置の駆動操作軸の目玉状の係合受け部（図１の符号２、３参照）に掛け、電動式回転工具の駆動力により駆動操作軸を回転可能とするための金属製（アルミ、ステンレス、鋼等）のオーニング装置の駆動補助具（以下、単に「駆動補助具」という）であり、上下に延びた形状を有している。
駆動補助具２０は、使用者が手で掴む金属製（アルミ、ステンレス、鋼等）で長筒状の把持部材２１と、把持部材２１に挿通されて両端部が把持部材２１の軸方向両外側に延設されるとともに、把持部材２１の軸周りに回転自在で軸方向への移動が制限された金属製（アルミ、ステンレス、鋼等）の棒状回転部材２２と、棒状回転部材２２の内、把持部材２１より先端側の端部に設けられて、オーニング装置の駆動操作軸の係合受け部に係脱自在に係合し、回転駆動可能な係合部としてのフック部２３と、棒状回転部材２２の内、把持部材２１より手元側の端部に設けられて、電動ドライバ、電動ドリル、電動インパクトドライバ等の電動式回転工具（図３の符号３０参照）の出力軸の一例としてのチャック部（図３の符号３１参照）に着脱自在に装着可能な装着部２４とを備えている。
【００１０】
棒状回転部材２２は把持部材２１の中に軸周りに回転自在に遊挿されている。また、棒状回転部材２２の内、把持部材２１の両側に鍔状の突起２５、２６が形成されており、突起２５と把持部材２１の間、突起２６と把持部材２１の間に各々、円筒状で金属製（アルミ、ステンレス、鋼等）のカラー２７、２８が嵌挿されている。把持部材２１が棒状回転部材２２に対し軸方向へ相対移動しようとしたとき、把持部材２１がカラー２７、２８を押圧するが、カラー２７、２８は突起２５、２６に当接して軸方向外側への移動が制限されるので、把持部材２１の棒状回転部材２２に対する軸方向への相対移動が制限されるようになっており、この結果、把持部材２１に対する棒状回転部材２２の軸方向への移動が制限されるようになっている。
【００１１】
棒状回転部材２２の先端側のフック部２３は、斜めに傾斜したＵ字状に折曲加工することにより形成されており、先端からオーニング装置の駆動操作軸の係合受け部に掛けて係脱自在に係合することにより、駆動操作軸を回転可能になっている。
一方、棒状回転部材２２の手元側の装着部２４は断面円形の丸棒状に延設することにより形成されており、図３に示すように、電動式回転工具３０の出力軸の一例としてのチャック部３１に着脱自在に装着可能となっている。
【００１２】
次に、図３を参照して上記した駆動補助具２０の使用方法を説明する。
なお、オーニング装置本体１の駆動操作軸２は、下から見上げて右回転することでキャンパス（図１の符号４参照）を展開でき、左回転することで収納させることができるものとする。また、予め、キャンパスは収納状態にあるものとする。
（１）キャンパスの展開
キャンパスを展開したい場合、まず電動式回転工具３０のチャック部３１に、棒状回転部材２２の装着部２４を差し込んで装着する。把持部材２１を手で掴み、フック部２３をオーニング装置本体１の駆動操作軸２の係合受け部３に掛けて係脱自在に係合し、駆動操作軸２と棒状回転部材２２の軸を合わせた状態で電動式回転工具３０の電源をオンし、右回転させる。すると、把持部材２１の中で棒状回転部材２２が右回転し、フック部２３が駆動操作軸２を右回転させるので、キャンパスが展開していく。所望の長さだけ展開したところで、電動式回転工具３０の電源をオフし、係合受け部３からフック部２３を外すとともに、チャック部３１から装着部２４を取り外せば良い。
【００１３】
（２）キャンパスの収納
反対にキャンパスを収納したい場合、まず電動式回転工具３０のチャック部３１に、棒状回転部材２２の装着部２４を差し込んで装着する。把持部材２１を手で掴み、フック部２３をオーニング装置本体１の駆動操作軸２の係合受け部３に係合し、駆動操作軸２と棒状回転部材２２の軸を合わせた状態で電動式回転工具３０の電源をオンし、今度は左回転させる。すると、把持部材２１の中で棒状回転部材２２が左回転し、フック部２３が駆動操作軸２を左回転させるので、キャンパスが収納していく。収納し終わったところで、電動式回転工具３０の電源をオフし、係合受け部３からフック部２３を外すとともに、チャック部３１から装着部２４を取り外せば良い。
【００１４】
この実施例によれば、オーニング装置の駆動操作軸２を、電動ドライバ、電動ドリル、電動インパクトドライバ等の電動式回転工具３０を用いて駆動できるので、キャンパスの展開・収納作業を短時間かつ容易に行うことが可能となる。
また、手で掴む把持部材２１は回転しないので、安全に作業を進めることができる。
【００１５】
なお、上記した実施例では、棒状回転部材の手元側端部に設けた装着部を丸棒状としたが、本考案は何らこれに限定されるものでなく、六角柱状などの種々の変形が可能である。六角柱状の装着部とした場合、電動式回転工具のチャック部でチャッキング可能な太さであれば、上記した実施例と同様にして、チャック部に装着すれば良い。
図４に示す駆動補助具２０Ａの如く、棒状回転部材２２の手元側に延びた丸棒状の延設部２２ａに少し太い六角柱状部材４０を固着して装着部２４Ａを構成した場合、電動式回転工具３０のチャック部３１に、六角柱状部材４０に嵌脱自在に嵌合可能な六角穴３２の開いたソケット３３を装着し、このソケット３３を出力軸として装着部２４Ａに着脱自在に装着すれば良い（なお図４では、図２の突起２６は不要なので省略してある）。
【００１６】
また、図５に示す駆動補助具２０Ｂの如く、棒状回転部材２２の手元側に延びた丸棒状の延設部２２ｂに四角穴４１の開いたソケット４２を固着して装着部２４Ｂを構成した場合、電動式回転工具３０のチャック部３１に、先端部に四角穴４１と嵌脱自在に嵌合可能な四角柱部３４の形成されたアダプター３５を装着し、このアダプター３５を出力軸として装着部２４Ｂに着脱自在に装着すれば良い（なお図５では、図２の突起２６は不要なので省略してある）。
また、図６に示す駆動補助具２０Ｃの如く、棒状回転部材２２の手元側に延びた丸棒状の延設部２２ｃに六角ビットをワンタッチ着脱自在とするためのスライドガイド４３の付いたホルダ４４を固着して装着部２４Ｃを構成した場合、電動式回転工具３０のチャック部３１に、六角ビット３６を装着し、この六角ビット３６を出力軸として装着部２４Ｃに着脱自在に装着すれば良い（なお図６では、図２の突起２６は不要なので省略してある）。
また、係合部はフック部に限定されず、オーニング装置の駆動操作軸の係合受け部の形状に合わせて種々の変形が可能であり、例えば、図７の駆動補助具２０Ｄに示す如く、棒状回転部材２２から先端側へ丸棒状に延びた延設部２２ｄの先端近くに直径方向へ設けた２本の横向き棒状突起５０、５１の如くとしても良い。
【産業上の利用可能性】
【００１７】
本考案は、目玉部付きなどの手動操作可能な駆動操作軸を備えたオーニング装置に適用可能である。
【符号の説明】
【００１８】
１  オーニング装置本体
２  駆動操作軸
３  係合受け部
２０  オーニング装置の駆動補助具
２１  把持部材
２２  棒状回転部材
２３  フック部
２４  装着部
３０  電動式回転工具
【図１】
0003224919.tif 000003
【図２】
0003224919.tif 000004
【図３】
0003224919.tif 000005
【図４】
0003224919.tif 000006
【図５】
0003224919.tif 000007
【図６】
0003224919.tif 000008
【図７】
0003224919.tif 000009